(57)【要約】【課題】本発明は、絶縁性本体の後部に省スペースの端子を備える電気コネクタを提供することを目的とする。【解決手段】本発明の電気コネクタ１００が相手方向に沿って相手部材と接続する。電気コネクタ１００は、絶縁性本体と、絶縁性本体に挿入される複数の端子と、を備える。前記端子が連接部と、連接部の一端に設けられる接触部と、連接部の他端から折り曲がる折曲部とを含む。折曲部の幅が相手方向に沿って延在し、折曲部の厚さが前記相手方向と直交する横方向に沿って延在する。前記端子の折曲部の幅が厚さより大きい。【選択図】図５
2010040526.tif 000002
【特許請求の範囲】
【請求項１】
相手方向に沿って相手部材と接続する電気コネクタにおいて、
絶縁性本体と、
絶縁性本体に挿入される複数の端子と、
を備え、前記端子が連接部と、連接部の一端に設けられる接触部と、連接部の他端から折り曲がる折曲部とを含み、折曲部の幅が相手方向に沿って延在し、折曲部の厚さが前記相手方向と直交する横方向に沿って延在し、前記端子の折曲部の幅さが厚さより大きいことを特徴とする電気コネクタ。
【請求項２】
前記端子の連接部が水平な第１平面上に位置し、折曲部が前記第１平面と直交する垂直な第２平面上に位置することを特徴とする請求項１に記載の電気コネクタ。
【請求項３】
前記端子の折曲部が連接部の側辺から垂直に折り曲がることを特徴とする請求項１に記載の電気コネクタ。
【請求項４】
前記端子が一列に配置される複数の第１端子及び、他列に配置される複数の第２端子を含むことを特徴とする請求項１に記載の電気コネクタ。
【請求項５】
前記第１端子の接触部が弾性を具備し、第２端子の接触部が硬く、第２端子の接触部が第１端子の接触部より絶縁性本体の前部に配置されることを特徴とする請求項４に記載の電気コネクタ。
【請求項６】
前記第１、第２端子は、互いに平行な第１、第２半田接続部を具備し、互いに対応する第１、第２半田接続部が一直線上に配置されることを特徴とする請求項４に記載の電気コネクタ。
【請求項７】
前記絶縁性本体が基部と基部に挿入される挿入部とを含み、挿入部の下表面には前記第１端子を収納するための複数の第１端子溝が形成され、挿入部の上表面には前記第２端子を収納するための複数の第２端子溝が形成されることを特徴とする請求項４に記載の電気コネクタ。
【請求項８】
前記基部には複数のスロットが形成され、前記挿入部には前記スロットと対応する複数のスリットが形成され、前記第１端子の折曲部が基部のスロットに嵌合し、第２端子の折曲部が挿入部のスリットを貫通して、第１端子の折曲部を嵌合するスロットに嵌合することを特徴とする請求項７に記載の電気コネクタ。
【請求項９】
前記基部が主体部と主体部から突出する舌板とを有し、舌板の下表面には収納部が形成され、前記主体部には前記収納部と貫通する挿入溝が形成され、前記舌板が前記挿入溝から収納部に挿入されることを特徴とする請求項７に記載の電気コネクタ。
【請求項１０】
前記舌板の前端には複数の凹所と間隔部とを含む相手部が設けられ、前記舌板の前端には前記間隔部と係合する複数の凹口が形成され、前記第２端子の接触部が凹所に嵌合されることを特徴とする請求項９に記載の電気コネクタ。
【請求項１１】
前記外側の二つの第２端子の折曲部の間の距離が、前記中間の二つの第２端子の折曲部の間の距離より広いことを特徴とする請求項１に記載の電気コネクタ。
【発明の詳細な説明】
【技術分野】
【０００１】
本発明は、電気コネクタに関し、特に、回路基板に半田接続される端子を具備するＵＳＢ（Ｕｎｉｖｅｒｓａｌ  Ｓｅｒｉａｌ  Ｂｕｓ）コネクタに関するものである。
【背景技術】
【０００２】
従来のＵＳＢソケットコネクタは、絶縁性本体と、絶縁性本体に収納される複数の端子と、絶縁性本体を覆うハウジングとを備える。各端子は、接触部と、接触部から垂直に折り曲がる折曲部と、半田接続するための半田接続部とを有する。ハウジングが端子の接触部を遮蔽することによって、ＥＭＩを実現できる。折曲部が接触部から延在する。折曲部の横方向に沿う幅が横方向と直交する相手方向に沿う厚さより広い。
【先行技術文献】
【特許文献】
【０００３】
【特許文献１】米国特許第５，７６９，６６６号明細書
【発明の概要】
【発明が解決しようとする課題】
【０００４】
折曲部の横方向に沿う幅が横方向と直交する相手方向に沿う厚さより広いことによって、絶縁性本体の後部にて、多くのスペースを占める。これにより、絶縁性本体の後部には、電子部材が使用することのできるスペースが不足する。
【０００５】
そこで本発明の目的は、絶縁性本体の後部に省スペースの端子を備える電気コネクタを提供することにある。
【課題を解決するための手段】
【０００６】
前記目的を達成するために、本発明の電気コネクタが相手方向に沿って相手部材と接続する。電気コネクタは、絶縁性本体と、絶縁性本体に挿入される複数の端子と、を備える。前記端子が連接部と、連接部の一端に設けられる接触部と、連接部の他端から折り曲がる折曲部とを含む。折曲部の幅が相手方向に沿って延在し、折曲部の厚さが前記相手方向と直交する横方向に沿って延在する。前記端子の折曲部の幅が厚さより大きい。
【発明の効果】
【０００７】
従来の技術に比べると、本発明は以下の長所がある。本発明の端子の折曲部の相手方向に沿う幅が、相手方向と直交する横方向に沿う厚さより大きい。絶縁性本体の後部では、端子の折曲部が、横方向に沿って占めるスペースが少ない。二つの折曲部の間の距離が大きくなる。これにより、絶縁性本体の貫通孔に挿入される電子部材（図示せず）のための充分なスペースを確保することができる。
【図面の簡単な説明】
【０００８】
【図１】本発明の第１実施形態における電気コネクタの組立図である。
【図２】図１に示す電気コネクタの別の組立図である。
【図３】図１に示す電気コネクタの後視図である。
【図４】図１に示す電気コネクタの部分の分解斜視図である。
【図５】図１に示す電気コネクタの別の部分の分解斜視図である。
【図６】図１に示す電気コネクタの分解斜視図である。
【図７】図１に示す電気コネクタの別の分解斜視図である。
【図８】図６に示す電気コネクタの第１、第２端子が挿入部に挿入される斜視図である。
【図９】第１、第２端子の斜視図である。
【図１０】本発明の第２実施形態の電気コネクタと電子部材の斜視図である。
【図１１】図１０に示す電子部材が電気コネクタに挿入される組立図である。
【図１２】図１０に示す電子部材の斜視図である。
【図１３】本発明の第３実施形態の電気コネクタと電子部材の斜視図である。
【図１４】図１３に示す電子部材が電気コネクタに挿入される組立図である。
【図１５】第３実施形態における第１、第２端子と電子部材の斜視図である。
【発明を実施するための形態】
【０００９】
図１〜図９に示すように、本発明の第１実施形態における電気コネクタ１００はＵＳＢコネクタである。電気コネクタ１００は、基部１１と挿入部１２とを含む絶縁性本体１と、絶縁性本体１に挿入される複数の第１、第２端子２１，２２と、絶縁性本体１を遮蔽するハウジング３とを備える。
【００１０】
図６及び図７に示すように、絶縁性本体１の基部１１は、主体部１３と、主体部１３から突出する舌板１４とを含む。主体部１３には、後表面１３３を貫通する複数の貫通孔１３５が形成される。主体部１３の底面が取付面１３８である。主体部１３の取付面１３８には、取付面１３８と後表面１３３を貫通するＬ字状のスロット１３４が形成される。各スロット１３４と各貫通孔１３５とは、互いに隣接する。主体部１３の取付面１３８には、取付面１３８から延在する一対の取付柱１３９が設けられる。主体部１３が取付面１３８と対向する天板１３１が設けられる。天板１３１が後表面１３３よりも張り出している。天板１３１と後表面１３３の間には挿入溝１３６が形成される。
【００１１】
図５及び図６に示すように、舌板１４の下部には収納部１４２が形成される。舌板１４の前端には相手部１４３が設けられる。相手部１４３の下部には、複数の間隔部１４３２が設けられる。二つの間隔部１４３２の間には凹所１４３１が形成される。
【００１２】
図６及び図７に示すように、挿入部１２の下表面には、複数の第１端子溝１２５が形成される。挿入部１２の上表面には複数の第２端子溝１２６が形成される。挿入部１２の前端には複数の凹口１２３が形成される。挿入部１２の後端には、上表面、下表面を貫通する複数のスリット１２４が形成される。
【００１３】
図６及び図７を参照すると、各第１端子２１が、第１連接部２１１と、第１連接部２１１の前端に設けられる弾性の第１接触部２１２と、第１連接部２１１の後端の第１側辺２１４から垂直に折り曲がる第１折曲部２１３と、第１折曲部２１３の末端に設けられる第１半田接続部２１６とを備える。第１端子２１の第１連接部２１１が水平な平面に位置し、第１折曲部２１３が前記水平な平面と直交する垂直な平面に位置する。
【００１４】
各第２端子２２が、第２連接部２２１と、第２連接部２２１の前端に設けられる平板状の硬い第２接触部２２２と、第２連接部２２１の後端の第２側辺２２４から垂直に折り曲がる第２折曲部２２３と、第２折曲部２２３の末端に設けられる第２半田接続部２２６とを備える。第２端子２２の第２連接部２２１の長さが第１端子２１の第１連接部２１１の長さより大きい。第２端子２２の第２連接部２２１が水平な平面上に位置し、第２折曲部２２３が前記水平な平面と直交する垂直な平面上に位置する。
【００１５】
ハウジング３には複数の弾性ビーム３４が設けられる。
【００１６】
図１〜図９を参照すると、電気コネクタ１００を取り付ける時、第１端子２１が挿入部１２に挿入される。第１端子２１の第１連接部２１１が挿入部１２の端子溝１２５に挿入され、第１半田接続部２１６が挿入部１２の下表面から下向きに延在する。第２端子２２の第２連接部２２１が挿入部１２の第２端子溝１２６に挿入される。第２端子２２の第２折曲部２２３が挿入部１２のスリット１２４に嵌合され、第２半田接続部２２６が下向きに延在する。
【００１７】
挿入部１２が絶縁性本体１の主体部１３の挿入溝１３６から収納部１４２に装着される。挿入部１２の凹口１２３が舌板１４の間隔部１４３２と係合する。挿入部１２の後部が主体部１３の挿入溝１３６に嵌合される。第２端子２２の第２接触部２２２が絶縁性本体１の凹所１４３１に嵌合される。互いに対応する第１、第２端子２１、２２の第１、第２折曲部２１４，２２４が絶縁性本体１の同じスロット１３４に挿入され、第１、第２半田接続部２１６，２２６が、下向きに延在する。ハウジング３が絶縁性本体１を遮蔽する。
【００１８】
図３及び図９に示すように、第１、第２端子２１，２２の第１、第２折曲部２１３，２２３の相手方向に沿う幅Ｗ１が、相手方向と直交する横方向に沿う厚さＷ２より大きい。絶縁性本体１の後部では、第１、第２端子２１，２２の第１、第２折曲部２１３，２２３が、横方向に沿って占めるスペースが少ない。二つの第２折曲部２２３の間の距離が大きくなる。これにより、絶縁性本体１の貫通孔１３５に挿入される電子部材（図示せず）のための充分なスペースを確保できる。
【００１９】
第１実施形態における電気コネクタ１００の第２半田接続部２２６の間の距離が同じである。図１０〜図１２に示すように、第２実施形態における電気コネクタ１００’の第２半田接続部２２６’の間の距離が不等になる。外側の半田接続部２２６’の距離Ｓ１’が、中間の半田接続部２２６’の間の距離Ｓ２’より大きい。
【００２０】
電子部材８’が電気コネクタ１００’の後部から電気コネクタ１００’に挿入される。電子部材８’は、絶縁部材８１’と、絶縁部材８１’と連接する複数のケーブル（図示せず）とを備える。絶縁部材８１’は、基部８１１’と、基部８１１’から延在する突出部８１２’とを備える。絶縁部材８１’には、前記基部８１１’と突出部８１２’とを貫通する複数の孔部８１３’が形成される。突出部８１２’の前端には、前向きに突出する複数の突出柱８１４’が設けられる。ケーブルが絶縁部材８１’の孔部８１３’に挿入される。電子部材８’が絶縁性本体１’の貫通孔１３５’に挿入される。
【００２１】
図１３〜１５を参照すると、第３実施形態における電気コネクタ１００’’は第２実施形態における電気コネクタ１００’と似ている。第３実施形態における電気コネクタ１００’’の絶縁部材８１’’には、電子部材８’’の一対の突出部８１２’’に対応する一対の貫通孔１３５’’が形成される。
【００２２】
電気コネクタ１００、１００’、１００’’は、ＵＳＢ２．０にも適合する。
【００２３】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２４】
１００  電気コネクタ
１  絶縁性本体
１１  基部
１２  挿入部
１２３  凹口
１２４  スリット
１２５  第１端子溝
１２６  第２端子溝
１３  主体部
１３１  天板
１３３  後表面
１３４  スロット
１３５  貫通孔
１３６  挿入溝
１３８  取付面
１３９  取付柱
１４  舌板
１４２  収納部
１４３  相手部
１４３１  凹所
１４３２  間隔部
２１  第１端子
２１１  第１連接部
２１２  第１接触部
２１３  第１折曲部
２１４  第１側辺
２１６  第１半田接続部
２２  第２端子
２２１  第２連接部
２２２  第２接触部
２２３  第２折曲部
２２４  第２側辺
２２６  第２半田接続部
３  ハウジング
３４  弾性ビーム
１００’  電気コネクタ
８’  電子部材
８１’  絶縁部材
８１１’  基部
８１２’  突出部
８１３’  孔部
８１４’  突出柱  
１００’’  電気コネクタ
８’’  電子部材
８１’’  絶縁部材
８１１’  基部
８１２’’  突出部
【図１】
2010040526.tif 000003
【図２】
2010040526.tif 000004
【図３】
2010040526.tif 000005
【図４】
2010040526.tif 000006
【図５】
2010040526.tif 000007
【図６】
2010040526.tif 000008
【図７】
2010040526.tif 000009
【図８】
2010040526.tif 000010
【図９】
2010040526.tif 000011
【図１０】
2010040526.tif 000012
【図１１】
2010040526.tif 000013
【図１２】
2010040526.tif 000014
【図１３】
2010040526.tif 000015
【図１４】
2010040526.tif 000016
【図１５】
2010040526.tif 000017